(57)【要約】      （修正有）【課題】抽選物を収容した容器全体の回転の必要がない抽選器を提供する。【解決手段】貯蔵空間内に貯蔵した抽選物を、貯蔵空間外の空間である払い出し空間へ所定個数ずつ払い出す抽選器であって、少なくとも２以上の抽選物を貯蔵可能な貯蔵空間を有する貯蔵手段と、貯蔵空間と払い出し空間とを抽選物が通過不可能に仕切り、回動軸の周りに回動可能に支持されると共に所定個数の抽選物が収容される収容空間を有し、回動によって、収容空間と外部空間とを連通させ抽選物が通過可能な連通口が回動軸を軸とする回転面に沿って移動することで、連通口を経由して収容空間が貯蔵空間と連通する進入可能位置と、連通口を経由して収容空間が払い出し空間と連通する脱出可能位置と、を取り得る回動子３１と、回動子３１に取り付けられ回動に伴って回動子３１と共に回動することで貯蔵空間内に貯蔵された抽選物を攪拌する攪拌棒６１と、を備えてなる。【選択図】図２
0003191228.tif 000002
【実用新案登録請求の範囲】
【請求項１】
貯蔵空間内に貯蔵した抽選物を、貯蔵空間外の空間である払い出し空間へ所定個数ずつ払い出す抽選器であって、
少なくとも２以上の抽選物を貯蔵可能な該貯蔵空間を有する貯蔵手段と、
該貯蔵空間と該払い出し空間とを抽選物が通過不可能に仕切り、回動軸の周りに回動可能に支持されると共に該所定個数の抽選物が収容される収容空間を有し、該回動によって、該収容空間と外部空間とを連通させ抽選物が通過可能な連通口が該回動軸を軸とする回転面に沿って移動することで、該連通口を経由して該収容空間が該貯蔵空間と連通する進入可能位置と、該連通口を経由して該収容空間が該払い出し空間と連通する脱出可能位置と、を取り得る払い出し手段と、
該払い出し手段に取り付けられ該回動に伴って該払い出し手段と共に回動することで該貯蔵空間内に貯蔵された抽選物を攪拌する攪拌手段と、
を備えてなる、抽選器。
【請求項２】
前記攪拌手段が、前記回動に伴って前記貯蔵空間と前記払い出し空間とを通過するように前記払い出し手段の外面から前記回動軸に対して垂直方向に突出するように基端が前記払い出し手段の外面に取り付けられた攪拌棒を含んでなり、
前記貯蔵空間を規定する壁部及び／又は前記払い出し空間を規定する壁部に、前記回動に伴って前記払い出し手段と共に回動する攪拌棒が通過し抽選物が通過不能な切り欠き部が形成されているものである、請求項１に記載の抽選器。
【請求項３】
前記払い出し手段を挟んで上方に前記貯蔵空間が存すると共に下方に前記払い出し空間が存し、
前記回動軸が水平方向に対してなす角度が４５度以下である、請求項１又は２に記載の抽選器。
【請求項４】
前記払い出し手段が、前記収容空間をなす凹部が側面に形成された、前記回動の回動軸に対して母線が略平行である柱体形状をなす柱体部を含んでなるものである、請求項３に記載の抽選器。
【請求項５】
前記貯蔵空間と前記払い出し空間とを内部に含み、前記払い出し空間に払い出された抽選物が内部から外部に通過可能な開口が形成された中空の箱体を備えてなり、
前記回動軸に沿った前記柱体部の一部が該箱体に収容されると共に前記柱体の一底面側が把持可能に該箱体の外部に露出しているものである、請求項４に記載の抽選器。
【請求項６】
前記貯蔵空間が、前記回動軸に略平行に形成された谷部を有し、
該谷部から前記収容空間に抽選物が進入するものである、請求項３乃至５のいずれか１に記載の抽選器。
【請求項７】
前記収容空間に収容された抽選物が落下する前記払い出し空間の下面が傾斜しているものである、請求項３乃至６のいずれか１に記載の抽選器。
【請求項８】
前記貯蔵空間と前記払い出し空間とを内部に含み、前記払い出し空間に払い出された抽選物が内部から外部に通過可能な開口が形成された中空の箱体を備えてなり、
前記払い出し空間に払い出された抽選物が、前記傾斜による抽選物の移動により該開口を経由し箱体の外部に移動するものである、請求項７に記載の抽選器。
【請求項９】
前記開口を経由し前記箱体の外部に移動した抽選物を保持する保持手段を備えてなる、請求項８に記載の抽選器。
【考案の詳細な説明】
【技術分野】
【０００１】
本考案は、抽選器に関し、より詳細には、貯蔵空間内に貯蔵した抽選物を、貯蔵空間外の空間である払い出し空間へ所定個数ずつ払い出す抽選器に関する。
【背景技術】
【０００２】
貯蔵空間内に貯蔵した抽選物を貯蔵空間外の払い出し空間へ所定個数ずつ払い出す抽選器はこれまで数多くのものが提案されてきた（例えば、特許文献１参照）。
特許文献１には、「安価に構成することができ、様々な場所や状況において気軽に用いることができる抽選器を提供する」（特許文献１、考案の詳細な説明中、段落番号０００４後段）ためになされたもので、具体的には「少なくとも２以上の抽選物を収容し所定の回転軸の周りに回転することで抽選物を排出する容器と、該容器を支持するための支持台と、該回転軸の周りに回転自在に該容器を該支持台に取り付ける取付手段と、を備えてなる抽選器であって、該容器と該支持台との少なくとも一部が紙によって形成されているものである、抽選器」（特許文献１、考案の詳細な説明中、段落番号０００５前段）であり、それによって「容器と支持台との少なくとも一部が紙によって形成されることで、これら容器と支持台が従来の抽選器のように複数枚の板状の材木や金属材料を用いて構成する場合に比して安価に構成することができ、これにより本抽選器を安価な様々な場所や状況において気軽に用いることができる抽選器とすることができる」（特許文献１、考案の詳細な説明中、段落番号０００５後段）というものが開示されている。
【先行技術文献】
【特許文献】
【０００３】
【特許文献１】実用新案登録第３１１５８７８号公報（例えば、要約、段落番号０００１〜０００５、００１２〜００１８、第１図〜第３図等）
【考案の概要】
【考案が解決しようとする課題】
【０００４】
このような特許文献１に開示された抽選器は、抽選物を収容した容器を所定の回転軸の周りに回転自在に支持すると共に抽選に際しては抽選物を収容した容器全体を回転させる必要があるので、抽選物を収容した大きく重い容器を回動させるための機構（例えば、軸受や回転機構）を要することから抽選器全体が大がかりになりがち（例えば、大きく重くなりがち）であった。
そこで、本考案では、抽選物を収容した容器全体を回転させる必要がない抽選器を提供することを目的とする。
【課題を解決するための手段】
【０００５】
本考案の抽選器（以下、「本抽選器」という。）は、貯蔵空間内に貯蔵した抽選物を、貯蔵空間外の空間である払い出し空間へ所定個数ずつ払い出す抽選器であって、少なくとも２以上の抽選物を貯蔵可能な該貯蔵空間を有する貯蔵手段と、該貯蔵空間と該払い出し空間とを抽選物が通過不可能に仕切り、回動軸の周りに回動可能に支持されると共に該所定個数の抽選物が収容される収容空間を有し、該回動によって、該収容空間と外部空間とを連通させ抽選物が通過可能な連通口が該回動軸を軸とする回転面に沿って移動することで、該連通口を経由して該収容空間が該貯蔵空間と連通する進入可能位置と、該連通口を経由して該収容空間が該払い出し空間と連通する脱出可能位置と、を取り得る払い出し手段と、該払い出し手段に取り付けられ該回動に伴って該払い出し手段と共に回動することで該貯蔵空間内に貯蔵された抽選物を攪拌する攪拌手段と、を備えてなる、抽選器である。
【０００６】
本抽選器は、貯蔵空間内に貯蔵した抽選物を、貯蔵空間外の空間である払い出し空間へ所定個数（例えば、１個、２個、３個・・・・Ｎ個（但しＮは自然数）。通常は１個である。）ずつ払い出す抽選器である。
本抽選器は、貯蔵手段と、払い出し手段と、攪拌手段と、を備えてなる。
貯蔵手段は貯蔵空間を有し、貯蔵空間は少なくとも２以上の抽選物を貯蔵可能な空間である。
払い出し手段は、貯蔵空間と払い出し空間との間を抽選物が通過不可能に仕切ると共に該所定個数の抽選物を収容する収容空間を有する。そして、払い出し手段は回動軸の周りに回動可能に支持され、その回動により、収容空間の連通口（収容空間への入口をいい、収容空間と外部空間とを連通させ抽選物が通過可能な連通口）が該回動軸を軸とする回転面に沿って移動する。この収容空間の連通口の移動により、該連通口を経由して該収容空間が該貯蔵空間と連通する進入可能位置（該連通口を経由して該収容空間が該貯蔵空間と連通し該貯蔵空間内に貯蔵された抽選物が該収容空間に進入することで該所定個数の抽選物が該収容空間に収容される位置）と、該連通口を経由して該収容空間が該払い出し空間と連通する脱出可能位置（該連通口を経由して該収容空間が該払い出し空間と連通し該収容空間に収容された該所定個数の抽選物が該払い出し空間へ脱出する位置）と、を取り得る。
攪拌手段は、該払い出し手段に取り付けられ、該払い出し手段の該回動に伴って該払い出し手段と共に回動することで該貯蔵空間内に貯蔵された抽選物を攪拌（貯蔵空間内に貯蔵された複数の抽選物の位置を変化させる）する。
このようにして本抽選器によれば、貯蔵手段に貯蔵された複数の抽選物を攪拌手段が攪拌しつつ（払い出し手段の回動に伴って回動することで貯蔵空間内に貯蔵された抽選物を攪拌する）、貯蔵空間内に貯蔵された抽選物が収容空間に進入し所定個数の抽選物が収容空間に収容された後に払い出し手段が回動されることで収容空間が払い出し空間と連通し収容空間に収容された所定個数の抽選物が払い出し空間へ脱出するので、抽選物を収容した容器（貯蔵手段）全体を回転させることなく、貯蔵空間内に貯蔵した抽選物を払い出し空間へ所定個数ずつ払い出すことができる。
【０００７】
本抽選器においては、前記攪拌手段が、前記回動に伴って前記貯蔵空間と前記払い出し空間とを通過するように前記払い出し手段の外面から前記回動軸に対して垂直方向に突出するように基端が前記払い出し手段の外面に取り付けられた攪拌棒を含んでなり、前記貯蔵空間を規定する壁部及び／又は前記払い出し空間を規定する壁部に、前記回動に伴って前記払い出し手段と共に回動する攪拌棒が通過し抽選物が通過不能な切り欠き部が形成されているものであってもよい。
攪拌手段は、払い出し手段に取り付けられ、払い出し手段の前記回動に伴って払い出し手段と共に回動することで貯蔵空間内に貯蔵された抽選物を攪拌するものを広く用いることができるが、払い出し手段の外面に基端が取り付けられた攪拌棒を含むようにしてもよい。かかる攪拌棒は、払い出し手段の外面から前記回動軸に対して垂直方向に突出するように基端が払い出し手段の外面に取り付けられ、前記回動に伴って貯蔵空間と払い出し空間とを通過し、この貯蔵空間を通過する際に貯蔵空間内に貯蔵された抽選物を攪拌する。なお、攪拌棒が払い出し手段の外面から前記回動軸に対して垂直方向に突出するとは、払い出し手段の外面に取り付けられた攪拌棒の基端と前記回動軸との間の距離よりも、攪拌棒の基端と先端との間のいずれかの部分（該部分は基端を含まず、先端を含み得る）と前記回動軸との間の距離が大きいことをいう。このような攪拌棒が貯蔵空間と払い出し空間とを円滑に通過するため、貯蔵空間を規定する壁部及び／又は払い出し空間を規定する壁部に、前記回動に伴って払い出し手段と共に回動する攪拌棒が通過し抽選物が通過不能な切り欠き部を形成してもよい。切り欠きの形成は、攪拌棒が貯蔵空間と払い出し空間とをうまく通過することができるようにすればよく（攪拌棒が他の物に衝突や干渉しないようにする）、それが満たされれば、貯蔵空間を規定する壁部のみに切り欠きを形成しても、払い出し空間を規定する壁部のみに切り欠きを形成しても、そして貯蔵空間を規定する壁部と払い出し空間を規定する壁部との両方に切り欠きを形成してもよい。
【０００８】
本抽選器においては、前記払い出し手段を挟んで上方に前記貯蔵空間が存すると共に下方に前記払い出し空間が存し、前記回動軸が水平方向に対してなす角度が４５度以下であってもよい（以下、かかる本抽選器を「上下配置本抽選器」という。）。
こうすることで、重力によって上方の貯蔵空間から払い出し手段に抽選物が円滑に移動し、払い出し手段が前記回動軸の周りに回動されることで抽選物が下方向に移動すると共に払い出し手段から下方の払い出し空間へ抽選物が円滑に払い出される。前記回動軸が水平方向に対してなす角度は、本抽選器を使用状態に配置した状態（例えば、水平な載置面に本抽選器を載置した状態）において、前記回動軸を含む直線と水平面とがなす角度（但し、０度以上９０度以下）をいう。該角度は小さい方が貯蔵空間から払い出し空間へ抽選物が円滑に移動しやすいことから好ましく、好ましくは４５度以下、より好ましくは２０度以下、最も好ましくは５度以下である（無論、０度以上である）。
【０００９】
上下配置本抽選器においては、前記払い出し手段が、前記収容空間をなす凹部が側面に形成された、前記回動の回動軸に対して母線が略平行である柱体形状をなす柱体部を含んでなるもの（以下、「柱体部具備本抽選器」という。）であってもよい。
こうすることで、払い出し手段が柱体部を含み、柱体部は前記回動の回動軸に対して母線が略平行である柱体形状をなし、該柱体の側面に凹部（収容空間をなす）が形成されている。このような柱体部が払い出し手段を構成することで、柱体部を前記回動軸の周りに回動可能に支持することで貯蔵空間と払い出し空間とを抽選物が通過不可能に仕切ると共に柱体部を前記回動軸の周りに回動させることで貯蔵空間内に貯蔵した抽選物を払い出し空間へうまく払い出すことができる。なお、ここの柱体としては、円柱体、楕円柱体、角柱体（三角柱体、四角柱体、五角柱体、六角柱体、・・・・Ｍ角柱体（但し、Ｍは３以上の自然数））等を例示できる。
【００１０】
柱体部具備本抽選器の場合、前記貯蔵空間と前記払い出し空間とを内部に含み、前記払い出し空間に払い出された抽選物が内部から外部に通過可能な開口が形成された中空の箱体を備えてなり、前記回動軸に沿った前記柱体部の一部が該箱体に収容されると共に前記柱体の一底面側が把持可能に該箱体の外部に露出しているものであってもよい。
このように貯蔵空間と払い出し空間とを内部に含むと共に、払い出し空間に払い出された抽選物が内部から外部に通過可能な開口（払い出し空間に払い出された抽選物は該開口から該箱体の外部に取り出すことができる。）が形成された中空の箱体を備えることで、本抽選器の使用や搬送を便ならしめることができる。そして、かかる中空の箱体を備える場合、前記回動軸に沿った前記柱体部の一部が該箱体の内部に収容されると共に前記柱体の一底面側（前記回動軸に沿った前記柱体部の一端側）が把持可能に該箱体の外部に露出するようにすれば、前記柱体の一底面側（前記回動軸に沿った前記柱体部の一端側）を把持し、払い出し手段を構成する柱体部を前記回動軸の周りに回動させて本抽選器を使用することができる。
【００１１】
上下配置本抽選器の場合、前記貯蔵空間が、前記回動軸に略平行に形成された谷部を有し、該谷部から前記収容空間に抽選物が進入するものであってもよい。
このように前記貯蔵空間が前記回動軸に略平行に形成された谷部を有すると、抽選物が重力により谷部に向けて移動するので、払い出し手段の収容空間へ谷部から抽選物が円滑に進入し、本抽選器の動作を確実ならしめることができる。
【００１２】
上下配置本抽選器の場合、前記収容空間に収容された抽選物が落下する前記払い出し空間の下面が傾斜しているもの（以下、「下面傾斜本抽選器」という。）であってもよい。
このように抽選物が収容空間から落下する払い出し空間の下面が傾斜していることで、該傾斜によって抽選物を所望方向に移動させることができる。なお、払い出し空間の下面が傾斜しているとは、本抽選器を使用状態に配置した状態（例えば、水平な載置面に本抽選器を載置した状態）において、抽選物が収容空間から落下する払い出し空間の下面と水平面との角度が３度より大きいことをいい、該角度は大きい方が抽選物が移動しやすいことから好ましく、好ましくは５度以上、より好ましくは１０度以上、最も好ましくは１２度以上である（該角度は、９０度より小さいが、あまり大きいと前記払い出し空間の下面の上下方向の寸法（高さ）が大きくなりすぎる問題が生じうるので、好ましくは３０度以下、より好ましくは２５度以下、最も好ましくは２０度以下である。）。
【００１３】
下面傾斜本抽選器の場合、前記貯蔵空間と前記払い出し空間とを内部に含み、前記払い出し空間に払い出された抽選物が内部から外部に通過可能な開口が形成された中空の箱体を備えてなり、前記払い出し空間に払い出された抽選物が、前記傾斜による抽選物の移動により該開口を経由し箱体の外部に移動するもの（以下、「抽選物外部移動本抽選器」という。）であってもよい。
このように貯蔵空間と払い出し空間とを内部に含むと共に、払い出し空間に払い出された抽選物が内部から外部に通過可能な開口（払い出し空間に払い出された抽選物は該開口から該箱体の外部に取り出すことができる。）が形成された中空の箱体を備えることで、本抽選器の使用や搬送を便ならしめることができる。そして、払い出し空間に払い出された抽選物が、抽選物が収容空間から落下する払い出し空間の下面の傾斜による抽選物の移動により該開口を経由し箱体の外部に移動するので、払い出された抽選物が該開口から箱体の外部に出てくるので本抽選器を便利に使用することができる。
【００１４】
抽選物外部移動本抽選器の場合、前記開口を経由し前記箱体の外部に移動した抽選物を保持する保持手段を備えてなるものであってもよい。
抽選物外部移動本抽選器においては払い出し空間の下面の傾斜によって抽選物が移動し抽選物が前記開口から箱体の外部に自動的に出てくるので、前記開口を経由し前記箱体の外部に移動した抽選物が不意に散逸や落下等しないように保持手段を備えるようにしてもよい。保持手段は、前記開口を経由し前記箱体の外部に移動した抽選物を保持できるものであれば特に限定されず採用でき、例えば、周囲の縁部が高くなっている皿形状の保持部や網状の保持部等を例示できるが、皿形状の保持部とすれば箱体の外部に移動した抽選物を取り出しやすいので好ましい。
【図面の簡単な説明】
【００１５】
【図１】本考案の一実施形態の抽選器（本抽選器）を示す図（図１（ａ）は本抽選器の正面図であり、図１（ｂ）は本抽選器の平面図（図１（ａ）中の矢印Ｄ方向から見たところを示している。）である。）である。
【図２】本抽選器の断面図（図２（ａ）は図１（ａ）のＡ−Ａ断面図であり、図２（ｂ）は図１（ｂ）のＢ−Ｂ断面図である。）である。
【図３】図１（ｂ）のＣ−Ｃ断面図である。
【図４】本抽選器の使用方法の第１ステップを説明する図である。
【図５】本抽選器の使用方法の第２ステップを説明する図である。
【図６】本抽選器の使用方法の第３ステップを説明する図である。
【図７】本抽選器の使用方法の第４ステップを説明する図である。
【考案を実施するための形態】
【００１６】
本考案の実施の形態を図面を参照して詳述するが、本考案はこれに限定されるものではない。
【００１７】
図１は、本考案の一実施形態の抽選器（本抽選器）１１を示す図（詳細には、図１（ａ）は本抽選器１１の正面図であり、図１（ｂ）は本抽選器１１の平面図（図１（ａ）中の矢印Ｄ方向から見たところを示している。）である。）であり、図２は本抽選器１１の断面図（図２（ａ）は図１（ａ）のＡ−Ａ断面図であり、図２（ｂ）は図１（ｂ）のＢ−Ｂ断面図である。）であり、そして図３は図１（ｂ）のＣ−Ｃ断面図である。図１乃至図３を参照して、本抽選器１１について説明する。ここでは本抽選器１１は、水平な平面に含まれる載置面（不図示。例えば、机の上面）に載置された状態を示しており、上方向（鉛直上方向）を図中では矢印Ｆ１にて、そして下方向（鉛直下方向）を図中では矢印Ｆ２にて、それぞれ示している。
【００１８】
本抽選器１１は、大まかには、中空の略直方体形状を有する箱体２１と、箱体２１の正面２１ａから一端３１ｃ側が突出するように回動自在に支持された回動子３１と、回動子３１の一端３１ｃ側を箱体２１に対して回動可能に支持する筒体４１と、回動子３１の他端３１ｄ側を箱体２１に対して回動可能に支持するシャフト５１と、回動子３１に基端が取り付けられた攪拌棒６１と、箱体２１の内部２２において樹脂製のカプセル（図１乃至図３においては不図示）を支持する一対の支持板７１、７３と、回動子３１から下方に放出されたカプセルを前方に移動させる傾斜面を形成する斜面形成板８１と、箱体２１の上部に切り欠きとして形成された開口２４を閉鎖するための無色透明な樹脂製フィルムにより形成された窓フィルム９１と、箱体２１の下部に切り欠きとして形成された開口２５を経由して箱体２１内部２２から箱体２１の外部２９に移動したカプセルを保持するトレー部２８と、を備えてなる。
【００１９】
箱体２１は、全体としては中空の略直方体形状を有し、ここでは段ボール箱によって形成されている。ここでは図示していないが、箱体２１の上面２１ｃは開閉自在にされており、上面２１ｃを開くことでカプセルを箱体２１内部２２に装入することができる。箱体２１の正面２１ａには、上部に開口２４が略長方形状に形成され、中心のやや下方に筒体４１が嵌入される略円形の開口２６が形成され、そして開口２６の下方には箱体２１の下面２１ｄから上方に向けて略長方形状に開口２５が形成されている（斜面形成板８１の上面８１ａに沿って転動したカプセルが下面２１ｄの上面を移動した後、カプセルが通過可能な形状及び寸法に開口２５は形成されている。）。
【００２０】
回動子３１は、全体としては長手方向Ｌに対する垂直な平面による断面形状が略正方形をなす棒状形状（該棒状形状は４辺が長手方向Ｌに略平行な中空の略直方体形状をなす）を略なし、ここでは段ボール箱によって形成され、長手方向Ｌが箱体２１がなす略直方体の４辺に略平行になるように配置されている。回動子３１は、一端３１ｃ側が筒体４１（筒体４１は、長手方向Ｌに対する垂直平面による断面が円形を略なす内面を有する）にやや隙間を有して内嵌（遊嵌）されると共に、箱体２１の後面２１ｂを貫通し箱体２１に対して回転自在なシャフト５１によって他端３１ｄが支持されることで、長手方向Ｌに平行な回動軸Ｚ（長手方向Ｌに対する垂直平面による回動子３１の断面形状である略正方形の対角線の交点を回動軸Ｚはほぼ通過する）を中心に回動自在に支持されている。回動子３１の一端３１ｃ側は箱体２１の正面２１ａから突出しているので、回動子３１の一端３１ｃ側を手で把持する等して回動子３１を回動軸Ｚを中心に自由に回動させることができる。
回動子３１の長手方向Ｌに沿った４の外面（外面がなす長方形の一対の長辺が長手方向Ｌに平行である外面）のうちの１の外面には、凹部３３が形成されている。凹部３３は、図示しないカプセルを丁度１個だけ収容できる形状及び寸法に形成されており、後述する通り、凹部３３に収容したカプセル１個を回動子３１を回動軸Ｚを中心に回動させることで斜面形成板８１側に移動させる。
【００２１】
筒体４１は、ここでは両端が開放された中空の直円筒（半径Ｒ１で高さＨの直円柱から、半径Ｒ２（但しＲ２＜Ｒ１）で高さＨの直円柱を両直円柱の軸を一致させた状態でくり抜いたもの）形状を略なし、樹脂材料によって一体的に構成され、滑らかな内面４３を有している。筒体４１は回動子３１の一端３１ｃ側にやや遊びをもって外嵌されており、滑らかな内面４３を回動子３１の外面が摺動することで、筒体４１に対して回動子３１は回動軸Ｚを中心に自由に回動できる。
筒体４１は、箱体２１の正面２１ａに形成された略円形の開口２６に嵌入されて箱体２１に取り付けられており（筒体４１が形成する直円筒の軸が回動軸Ｚと同じ直線上に存するようにされる）、これによって回動子３１の一端３１ｃ側が箱体２１に対して回動軸Ｚを中心に回動可能に支持されている。
【００２２】
シャフト５１は、一端が回動子３１の他端３１ｄ側に取り付けられ、回動軸Ｚに沿って配設されている。シャフト５１の一端と他端との間は箱体２１の後面２１ｂを回動自在（回動軸Ｚの周りに回動自在）に貫通すると共にシャフト５１の他端には、回転軸Ｚに対して垂直方向に張り出すように形成されたフランジ部分５２が形成されている。フランジ部分５２は該一端と該他端との間が貫通している箱体２１の後面２１ｂの貫通孔を通過できないので、回動子３１が一端３１ｃ方向に抜けることを防止しつつ、回動子３１の他端３１ｄ側が箱体２１に対して回動軸Ｚを中心に回動可能に支持している。
【００２３】
攪拌棒６１は、回動軸Ｚに対して垂直方向に突出するように、回動子３１の長手方向Ｌに沿った４の外面（外面がなす長方形の一対の長辺が長手方向Ｌに平行である外面）のうち凹部３３が形成されていない１の外面（ここでは凹部３３が形成されている外面に隣接する外面）に基端が取り付けられている。攪拌棒６１は、回動軸Ｚに対して垂直方向に突出するように基端が回動子３１の外面に取り付けられた基端部６１ａ（基端部６１ａの長手方向が回動軸Ｚに略垂直になっている）と、基端部６１ａの先端に基端が取り付けられ回動軸Ｚに対して略平行な先端部６１ｂと、を樹脂材料によって一体に形成してなり（特に図２（ａ）参照）、回動子３１が回動軸Ｚの周りに回動するとそれに伴って攪拌棒６１も回動することで、一対の支持板７１、７３に支持された複数のカプセルを攪拌する。
【００２４】
支持板７１は、箱体２１の下面２１ｄに下縁が固定（接着）された脚板７１ａと、脚板７１ａの上縁に下縁が取り付けられた本体板７１ｂと、を一体に有してなり、本体板７１ｂはその傾いた上面にカプセルが載置され、該上面の傾きによってカプセルを回動子３１の方向に導く（該上面は回動子３１側が低くなっていることで該上面に載置されたカプセルは回動子３１方向に転動等して移動する。）。ここでは主表面が長方形状をなす一枚の厚紙（段ボール紙）を、長手方向Ｌに略平行な線分Ｊ１（該厚紙の主表面がなす該長方形の互いに平行な一対の辺に線分Ｊ１は略平行である）に沿って折ることで脚板７１ａと本体板７１ｂとが形成されている。
同様に、支持板７３は、箱体２１の下面２１ｄに下縁が固定（接着）された脚板７３ａと、脚板７３ａの上縁に下縁が取り付けられた本体板７３ｂと、を一体に有してなり、本体板７３ｂはその傾いた上面にカプセルが載置され、該上面の傾きによってカプセルを回動子３１の方向に導く（該上面は回動子３１側が低くなっていることで該上面に載置されたカプセルは回動子３１方向に転動等して移動する。）。ここでは主表面が長方形状をなす一枚の厚紙（段ボール紙）を、長手方向Ｌに略平行な線分Ｊ２（該厚紙の主表面がなす該長方形の互いに平行な一対の辺に線分Ｊ２は略平行である）に沿って折ることで脚板７３ａと本体板７３ｂとが形成されている。
線分Ｊ１及び線分Ｊ２は、箱体２１の下面２１ｄからほぼ等しい高さに互いに略平行になるように形成されている。脚板７１ａと脚板７３ａとの間には、長手方向Ｌに沿った直方体形状（該直方体の長く互いに平行な４辺が長手方向Ｌに略平行であり、該４辺のうち２辺それぞれが線分Ｊ１、Ｊ２をほぼ含み、該４辺のうち別の２辺は箱体２１の下面２１ｄの上面に略属す。）を略なす回動子収容空間７８が形成されている。回動子収容空間７８の上部に前述の回動子３１が回動軸Ｚを中心に回動自在に収容されている（なお、図２（ａ）、図２（ｂ）、図４（ａ）、図５（ａ）、図６（ａ）及び図７（ａ）においては、脚板７１ａ、７３ａと回動子３１との間を実際よりも狭く図示している。実際には、回動子３１が回動軸Ｚの周りに回動しても回動子３１と脚板７１ａ、７３ａとが干渉（衝突）しないようになっている。）。本体板７１ｂ上面に載置されたカプセルと本体板７３ｂ上面に載置されたカプセルとはこれら上面の傾斜により転動等することで回動子３１の方向に移動し、回動子３１の凹部３３が上に存する状態（図２及び図３に示す状態）においてカプセルのうち１個のみが凹部３３に収容される。
また、回動子３１が回動軸Ｚを中心に回動すると回動子３１に基端が取り付けられた攪拌棒６１も回動軸Ｚを中心に回動する。この攪拌棒６１の回動により攪拌棒６１が支持板７１、７３に衝突しないように支持板７１、７３には切り欠き７１ｈ、７３ｈが形成されている。攪拌棒６１が回動軸Ｚを中心に回動すると、これら切り欠き７１ｈ、７３ｈの部分を通過することで攪拌棒６１は支持板７１、７３に干渉（衝突）することなく円滑に回動できる。
【００２５】
斜面形成板８１は、主表面が長方形状をなす一枚の厚紙（段ボール紙）により形成されており、該長方形の互いに平行な一対の辺（以下、「傾斜一対辺」という）のうち一方が脚板７１ａに固定（接着）されると共に傾斜一対辺のうち他方が脚板７３ａに固定（接着）されている。そして、該長方形の４辺のうち傾斜一対辺とは異なる互いに平行な一対の辺のうち一方は箱体２１の後面２１ｂに固定（接着）されると共に他方は箱体２１の下面２１ｄに固定（接着）されている。斜面形成板８１の上面８１ａは、本抽選器１１の下面２１ｄが水平面に載置された場合においては後面２１ｂから正面２１ａに向かうにつれて単調に降下する傾斜面を形成している（ここでは水平面に対して上面８１ａがなす角度（図３中の角度Ｙ）は約１５度である。）。凹部３３に１個のカプセルを収容した回動子３１が回動軸Ｚを中心に回動し凹部３３が下方に向くことで該カプセルは凹部３３から下方に脱出し、該カプセルは斜面形成板８１の傾斜した上面８１ａに沿って正面２１ａ方向に向かって転動し移動する。
【００２６】
窓フィルム９１は合成樹脂製の無色透明なフィルムによって形成されており、箱体２１の正面２１ａの上部に形成された開口２４を閉鎖するよう開口２４の外縁に沿って貼着されている。本体板７１ｂ上面と本体板７３ｂ上面と回動子３１とにより支持され箱体２１の内部２２に収容されたカプセルの様子をこの窓フィルム９１を通して観察することができる。
【００２７】
トレー部２８は、箱体２１の正面２１ａ下部に形成された開口２５に対応する位置に形成されており、上述の如く、回動子３１の凹部３３から下方に脱出し、斜面形成板８１の傾斜した上面８１ａに沿って転動し移動したカプセルがさらに開口２５を経由して箱体２１の外部２９に転出した後に保持するためのものである。具体的には、トレー部２８は、下面２１ｄから連続するように取り付けられた底板２８ｂと、底板２８ｂのうち開口２５に面する部分を除く底板２８ｂの縁部を取り囲むように底板２８ｂに取り付けられた立ち上がり部２８ｃと、を含んでなる。開口２５を経由して箱体２１の外部２９に転出したカプセルは、底板２８ｂにより支持されると共に立ち上がり部２８ｃによって不意にトレー部２８の外部に転動等により脱出しないように保持される。
【００２８】
次いで、本抽選器１１の使用方法を説明する。
図４は、本抽選器１１の使用方法の第１ステップを説明する図であり、詳細には、図４（ａ）は図２（ｂ）と同じ断面を示しており、図４（ｂ）は図３と同じ断面を示している。図４を参照して、本抽選器１１の使用方法の第１ステップについて説明する。まず、箱体２１の開閉自在な上面２１ｃを開放し、カプセル１０１を箱体２１内部２２に装入する。カプセル１０１の装入後、上面２１ｃを閉じる。この状態を図４（ａ）及び図４（ｂ）に示している。この状態においては、箱体２１内部２２に装入されたカプセル１０１は、本体板７１ｂ上面と本体板７３ｂ上面と回動子３１とにより支持されると共に、特に図４（ｂ）に示されるようにカプセル１０１の１個のみが回動子３１の凹部３３に収容されている（カプセル１０１が箱体２１内部２２に装入された際、凹部３３が上方を向いているのでカプセル１０１の１個が凹部３３に進入し収容される。）。
【００２９】
図５は、本抽選器１１の使用方法の第２ステップを説明する図であり、詳細には、図５（ａ）は図４（ａ）と同じ断面を示しており、図５（ｂ）は図４（ｂ）と同じ断面を示している。図５を参照して、本抽選器１１の使用方法の第２ステップについて説明する。図４に示した第１ステップの状態から回動子３１を正面２１ａ側から見たときに回動軸Ｚを中心に時計回り（図１（ａ）中の矢印Ｑ方向）に９０度回動させた状態を図５に示している。回動子３１の時計回りの９０度回動により、回動子３１に対して攪拌棒６１が下方に向けて突出する位置に存している。なお、前述の通り、図４から図５への攪拌棒６１の回動は攪拌棒６１が切り欠き７３ｈの部分を通過することで支持板７３に干渉（衝突）することなく円滑に回動できる。
【００３０】
図６は、本抽選器１１の使用方法の第３ステップを説明する図であり、詳細には、図６（ａ）は図４（ａ）と同じ断面を示しており、図６（ｂ）は図４（ｂ）と同じ断面を示している。図６を参照して、本抽選器１１の使用方法の第３ステップについて説明する。図５に示した第２ステップの状態から回動子３１を正面２１ａ側から見たときに回動軸Ｚを中心に時計回り（図１（ａ）中の矢印Ｑ方向）にさらに９０度回動させた状態を図６に示している。回動子３１の時計回りのさらなる９０度回動により、回動子３１に対して攪拌棒６１が第１ステップとは反対方向に向けて突出する位置に存している。なお、前述の通り、図５から図６への攪拌棒６１の回動は攪拌棒６１が切り欠き７１ｈの部分を通過することで支持板７１に干渉（衝突）することなく円滑に回動できる。そして、図６の状態においては、凹部３３が下方を向くので、それまで凹部３３に収容されていた１個のカプセル１０１が凹部３３から下方に落下し、斜面形成板８１の傾斜した上面８１ａに沿って転動し、さらに開口２５を経由して箱体２１の外部２９に転出した後にトレー部２８に保持されている（図６（ｂ）に、斜面形成板８１の傾斜した上面８１ａに落下したカプセル１０１ａと、開口２５から外部２９に転出しトレー部２８に保持されたカプセル１０１ｂと、を図示した。）。
【００３１】
図７は、本抽選器１１の使用方法の第４ステップを説明する図であり、詳細には、図７（ａ）は図４（ａ）と同じ断面を示しており、図７（ｂ）は図４（ｂ）と同じ断面を示している。図７を参照して、本抽選器１１の使用方法の第４ステップについて説明する。図６に示した第３ステップの状態から回動子３１を正面２１ａ側から見たときに回動軸Ｚを中心に時計回り（図１（ａ）中の矢印Ｑ方向）にさらに９０度回動させた状態を図７に示している。回動子３１の時計回りのさらなる９０度回動により、回動子３１に対して攪拌棒６１が上方に向けて突出する位置に存している。なお、前述の通り、図６から図７への攪拌棒６１の回動は攪拌棒６１が切り欠き７１ｈの部分を通過することで支持板７１に干渉（衝突）することなく円滑に回動できる。
この図７の第４ステップの後、回動子３１を正面２１ａ側から見たときに回動軸Ｚを中心に時計回り（図１（ａ）中の矢印Ｑ方向）にさらに９０度回動させると、図４に示した第１ステップの状態に戻る。この図４の第１ステップの状態に戻ることで、上方を向いた凹部３３にカプセル１０１の１個が進入し収容され、上述の第２ステップから第４ステップを実施し再度第１ステップに戻るというサイクルを繰り返すことができる。即ち、本抽選器１１によれば回動子３１を正面２１ａ側から見たときに回動軸Ｚを中心に時計回りに１回転（３６０度）回転させることで、カプセル１０１が１個ずつトレー部２８に抽選（払出）される。また、図６の第３ステップの状態から図４の第１ステップの状態に戻る間に攪拌棒６１が、本体板７１ｂ上面と本体板７３ｂ上面と回動子３１とに載置された複数のカプセル１０１の中を通過することによってこれら複数のカプセル１０１を攪拌することができる（複数のカプセル１０１の攪拌により、複数のカプセル１０１から不規則に１個を抜き出すことができるのでくじ引き等に使用できると共に凹部３３への１個のカプセルの進入を促すことができる。）。
【００３２】
以上説明の通り、本抽選器１１は、貯蔵空間（ここでは箱体２１の内部２２において本体板７１ｂと本体板７３ｂと回動子３１との上に存する空間）内に貯蔵した抽選物（ここではカプセル１０１）を、貯蔵空間外の空間である払い出し空間（ここでは回動子収容空間７８の回動子３１よりも下側の空間）へ所定個数（ここでは１個）ずつ払い出す抽選器であって、少なくとも２以上の抽選物（カプセル１０１）を貯蔵可能な該貯蔵空間（箱体２１内部２２における本体板７１ｂと本体板７３ｂと回動子３１との上に存する空間）を有する貯蔵手段（ここでは箱体２１と本体板７１ｂと本体板７３ｂとを含んで構成される）と、該貯蔵空間（箱体２１内部２２における本体板７１ｂと本体板７３ｂと回動子３１との上に存する空間）と該払い出し空間（回動子収容空間７８の回動子３１よりも下側の空間）とを抽選物（カプセル１０１）が通過不可能に仕切り、回動軸Ｚの周りに回動可能に支持されると共に該所定個数（１個）の抽選物（カプセル１０１）が収容される収容空間（ここでは凹部３３）を有し、該回動によって、該収容空間（凹部３３）と外部空間とを連通させ抽選物（カプセル１０１）が通過可能な連通口（ここでは凹部３３への入口３３ｃ）が該回動軸Ｚを軸とする回転面に沿って移動することで、該連通口（凹部３３への入口３３ｃ）を経由して該収容空間（凹部３３）が該貯蔵空間（箱体２１内部２２における本体板７１ｂと本体板７３ｂと回動子３１との上に存する空間）と連通する進入可能位置（例えば、図２、図３、図４）と、該連通口（凹部３３への入口３３ｃ）を経由して該収容空間（凹部３３）が該払い出し空間（回動子収容空間７８の回動子３１よりも下側の空間）と連通する脱出可能位置（例えば、図６）と、を取り得る払い出し手段（ここでは回動子３１）と、該払い出し手段（回動子３１）に取り付けられ該回動に伴って該払い出し手段（回動子３１）と共に回動することで該貯蔵空間（箱体２１内部２２における本体板７１ｂと本体板７３ｂと回動子３１との上に存する空間）内に貯蔵された抽選物（カプセル１０１）を攪拌する攪拌手段（ここでは攪拌棒６１）と、を備えてなる、抽選器である。
【００３３】
本抽選器１１においては、前記攪拌手段（ここでは攪拌棒６１）が、前記回動に伴って前記貯蔵空間（箱体２１内部２２における本体板７１ｂと本体板７３ｂと回動子３１との上に存する空間）と前記払い出し空間（回動子収容空間７８の回動子３１よりも下側の空間）とを通過するように前記払い出し手段（回動子３１）の外面から前記回動軸Ｚに対して垂直方向に突出するように基端が前記払い出し手段（回動子３１）の外面に取り付けられた攪拌棒６１を含んでなり、前記貯蔵空間（箱体２１内部２２における本体板７１ｂと本体板７３ｂと回動子３１との上に存する空間）を規定する壁部（ここでは本体板７１ｂ、７３ｂ）及び／又は前記払い出し空間（回動子収容空間７８の回動子３１よりも下側の空間）を規定する壁部（ここでは脚板７１ａ、７３ａ）に、前記回動に伴って前記払い出し手段（回動子３１）と共に回動する攪拌棒６１が通過し抽選物（カプセル１０１）が通過不能な切り欠き部（ここでは切り欠き７１ｈ、７３ｈ）が形成されているものである（なお、ここでは前記貯蔵空間（箱体２１内部２２における本体板７１ｂと本体板７３ｂと回動子３１との上に存する空間）を規定する壁部（ここでは本体板７１ｂ、７３ｂ）と、前記払い出し空間（回動子収容空間７８の回動子３１よりも下側の空間）を規定する壁部（ここでは脚板７１ａ、７３ａ）と、の両方に切り欠き部（ここでは切り欠き７１ｈ、７３ｈ）が形成されている。）。
【００３４】
本抽選器１１においては、前記払い出し手段（回動子３１）を挟んで上方に前記貯蔵空間（箱体２１内部２２における本体板７１ｂと本体板７３ｂと回動子３１との上に存する空間）が存すると共に下方に前記払い出し空間（回動子収容空間７８の回動子３１よりも下側の空間）が存し、前記回動軸Ｚが水平方向に対してなす角度が４５度以下である（ここでは該角度は約０度である）。
本抽選器１１においては、前記払い出し手段（回動子３１）が、前記収容空間（凹部３３）をなす凹部３３が側面に形成された、前記回動の回動軸Ｚに対して母線が略平行である柱体形状（ここでは細長い直方体を略なす）をなす柱体部（回動子３１）を含んでなるものである。
本抽選器１１においては、前記貯蔵空間（箱体２１内部２２における本体板７１ｂと本体板７３ｂと回動子３１との上に存する空間）と前記払い出し空間（回動子収容空間７８の回動子３１よりも下側の空間）とを内部２２に含み、前記払い出し空間（回動子収容空間７８の回動子３１よりも下側の空間）に払い出された抽選物（カプセル１０１）が内部２２から外部２９に通過可能な開口２５が形成された中空の箱体２１を備えてなり、前記回動軸Ｚに沿った前記柱体部（回動子３１）の一部が該箱体２１に収容されると共に前記柱体の一底面側（ここでは一端３１ｃ側）が把持可能に該箱体２１の外部２９に露出しているものである。
本抽選器１１においては、前記貯蔵空間（箱体２１内部２２における本体板７１ｂと本体板７３ｂと回動子３１との上に存する空間）が、前記回動軸Ｚに略平行に形成された谷部７５（ここでは本体板７１ｂ上面と本体板７３ｂ上面とが回動子３１側に傾斜することで回動子３１に沿って谷部７５を形成している。特に図２及び図３を参照されたい。）を有し、該谷部７５から前記収容空間（凹部３３）に抽選物（カプセル１０１）が進入するものである。
【００３５】
本抽選器１１においては、前記収容空間（凹部３３）に収容された抽選物（カプセル１０１）が落下する前記払い出し空間（回動子収容空間７８の回動子３１よりも下側の空間）の下面（ここでは斜面形成板８１の上面８１ａ）が傾斜しているものである。
本抽選器１１においては、前記貯蔵空間（箱体２１内部２２における本体板７１ｂと本体板７３ｂと回動子３１との上に存する空間）と前記払い出し空間（回動子収容空間７８の回動子３１よりも下側の空間）とを内部２２に含み、前記払い出し空間（回動子収容空間７８の回動子３１よりも下側の空間）に払い出された抽選物（カプセル１０１）が内部２２から外部２９に通過可能な開口２５が形成された中空の箱体２１を備えてなり、前記払い出し空間（回動子収容空間７８の回動子３１よりも下側の空間）に払い出された抽選物（カプセル１０１）が、前記傾斜（ここでは斜面形成板８１の上面８１ａの傾斜）による抽選物（カプセル１０１）の移動により該開口２５を経由し箱体２１の外部２９に移動するものである。
本抽選器１１においては、前記開口２５を経由し前記箱体２１の外部２９に移動した抽選物（カプセル１０１）を保持する保持手段（ここではトレー部２８）を備えてなる。
【符号の説明】
【００３６】
１１            本抽選器
２１            箱体
２１ａ          正面
２１ｂ          後面
２１ｃ          上面
２１ｄ          下面
２２            内部
２４            開口
２５            開口
２６            開口
２８            トレー部
２８ｂ          底板
２８ｃ          立ち上がり部
２９            外部
３１            回動子
３１ｃ          一端
３１ｄ          他端
３３            凹部
３３ｃ          入口
４１            筒体
４３            内面
５１            シャフト
５２            フランジ部分
６１            攪拌棒
６１ａ          基端部
６１ｂ          先端部
７１            支持板
７１ａ          脚板
７１ｂ          本体板
７１ｈ          切り欠き
７３            支持板
７３ａ          脚板
７３ｂ          本体板
７３ｈ          切り欠き
７５            谷部
７８            回動子収容空間
８１            斜面形成板
８１ａ          上面
９１            窓フィルム
１０１、１０１ａ、１０１ｂ  カプセル
【図１】
0003191228.tif 000003
【図２】
0003191228.tif 000004
【図３】
0003191228.tif 000005
【図４】
0003191228.tif 000006
【図５】
0003191228.tif 000007
【図６】
0003191228.tif 000008
【図７】
0003191228.tif 000009